(57)【要約】【課題】  指の爪や指先、指の関節を傷めずに草取りを長時間楽に行えるようにするのが課題である。【解決手段】爪先（２）を凹面（３）とし縁に刃の稜線（４）を付有する爪先（２）に連続する曲げ部（５）に隣接して設けた指先（エ）と爪（ウ）から第一関節（カ）を保持する指先ホルダー（６ａ）（６ｂ）と、曲げ部（９）と連結部（７）と曲げ部（１０）により角度（β）を付有して指（イ）の第二関節（キ）から第三関節（ク）を保持する穴（１１）を設けた指元ホルダー（８ａ）（８ｂ）を有する指（イ）に装着して使用する草取り具（１）で、爪先（２）に掛かる力（Ｐ）は指元ホルダー（８ａ）（８ｂ）の指の腹で押す力（Ｆ）を利用して指先や指の関節に掛かる力を少なくした。【選択図】図２
2012244984.tif 000002
【特許請求の範囲】
【請求項１】
爪先（２）を凹面（３）とし縁に刃の稜線（４）を付有する爪先（２）に連続する曲げ部（５）に隣接して設けた指先（エ）と爪（ウ）から第一関節（カ）を保持する指先ホルダー（６ａ）（６ｂ）と、曲げ部（９）と連結部（７）と曲げ部（１０）により角度（β）を付有して指（イ）の第二関節（キ）から第三関節（ク）を保持する穴（１１）を設けた指元ホルダー（８ａ）（８ｂ）を有する指（イ）に装着して使用する草取り具（１）
【発明の詳細な説明】
【技術分野】
【０００１】庭や畑や植木鉢に生えた雑草を取り除くために使用する用具に関する。
【背景技術】
【０００２】庭や菜園や植木鉢に生えた雑草を取り除くために使用する用具としてスコップや草刈り鎌は広く世の中で使用され公知である。又指に装着する草取り器具は先行技術として特許公開された文献がある。
【先行技術文献】
【特許文献】
【０００３】指に装着する草取り器具は先行技術として特許公開された文献がある。
【特許文献１】特開２００３−１７４８０２号公報
【特許文献２】実用新案登録第３１５０１６４号公報
【特許文献３】実用新案登録第３１５２５２４号公報
【発明の概要】
【発明が解決しようとする課題】
【０００４】雑草を取る場合は、主として人差し指と親指の指先で草の根元を掴み、根を引き抜くのが普通である。しかし爪の間に土が詰まったり指先を傷めたりするのを防ぐために手袋をすると、手袋の中で指先が滑り力を入れないとうまく掴めず、長時間続けると指先や爪を傷めると云う問題点があった。又先行特許文献に指先に装着して草を取る器具があるが、草の根を掘るために力を入れると指先や指の関節に力がそのまま掛かり、長時間の草取り作業をすると指先や指の関節を傷めると云う問題点がある。
本発明が解決しようとする課題は、指先や指の関節に集中する力を減らし、指や爪、指の関節を傷めず楽に長時間の草取りが出来るようにすることである。
本発明はこれらの問題点を解決することを目的とする。
【課題を解決するための手段】
【０００５】爪先（２）を凹面（３）とし縁に刃の稜線（４）を付有する爪先（２）に連続する曲げ部（５）に隣接して設けた指先（エ）と爪（ウ）から第一関節（カ）を保持する指先ホルダー（６ａ）（６ｂ）と、曲げ部（９）と連結部（７）と曲げ部（１０）により角度（β）を付有して指（イ）の第二関節（キ）から第三関節（ク）を保持する穴（１１）を設けた指元ホルダー（８ａ）（８ｂ）を有する指（イ）に装着して使用する草取り具（１）
【発明の効果】
【０００６】本発明の草取り具（１）は図１に示すように手（ア）の指（イ）等に装着して使用する。装着するときには手袋（ス）等をすることで爪（ウ）に土が詰まったり、かすり傷等の傷を防ぐことが出来る。図３、図４に示す指先ホルダー（６ａ）（６ｂ）には指先（エ）爪（ウ）と第一関節（カ）を挿入し、連結部（７）を介して設けた指元ホルダー（８ａ）（８ｂ）には指を約９０度曲げて指の付け根部まで挿入して使用する。指先ホルダー（６ａ）（６ｂ）と指元ホルダー（８ａ）（８ｂ）との間には図２に示すように９０〜１００度の角度（β）が付いており前記の指の曲げに対応している。又距離が離れた指先ホルダー（６ａ）（６ｂ）と指元ホルダー（８ａ）（８ｂ）の２か所で支持していることと、角度（β）が付いていることで草取り具（１）は他の指で抑えるなどの必要がなく、しっかりと安定して指（イ）等に保持される。【０００７】このように装着した草取り具（１）を使用すれば、指先（エ）の爪（ウ）の代わりに、爪先（２）で草の根（シ）を掘り起こすことが出来る。掘り起こす時の爪先（２）に掛かる爪先の力（Ｐ）は、指先ホルダー（６ａ）（６ｂ）や連結部（７）ではなく、９０〜１００度の角度（β）を付けて設けた指元ホルダー（８ａ）（８ｂ）部で第二関節（キ）と第三関節（ク）の間の指の内側面で押す力（Ｆ）がそのまま掛けられるので指先（エ）への力の集中がなく指先（エ）を傷める恐れがない。【０００８】図１に示すように爪先（２）と指元ホルダー（８ａ）（８ｂ）と間の長さ（Ｌ）は変わらないので、手袋（ス）をしてもしなくても指先ホルダー（６ａ）（６ｂ）内の指先（エ）と爪（ウ）の位置は変わらない。このため手袋をしても滑ることがなくしっかりと指先に保持される。また指先（エ）や爪（ウ）にかかる力は少ないので、指先（エ）や爪（ウ）を傷めることがなく硬い土でも草むしりを楽に長時間行うことが出来る。【０００９】本発明の指（イ）に装着した草取り具（１）は、９０〜１００度の角度（β）を付けて設けた指先ホルダー（６ａ）（６ｂ）と指元ホルダー（８ａ）（８ｂ）による２点支持の構造なので安定して一本の指（イ）に保持される。このため親指（オ）は自由に動かせるので、根（シ）を掘った草（コ）を親指（オ）と刃先（２）の凹面（３）で挟み土（サ）から草の根（シ）を簡単に掴んで抜くことが出来る。【００１０】また図５に示すように爪先（２）の端面には、３０〜５０度の角度（α）を持つ刃の稜線（４）を形成する、この刃の稜線（４）により、刃先（２）を土（サ）に挿す時の爪先（２）の力（Ｐ）が小さくても楽に草の根（シ）を掘ることが出来、又爪先（２）の土（サ）の中での横方向の移動も容易にできるので広い範囲の草むしりが出来る。【００１１】指先ホルダー（６ａ）（６ｂ）に隣接して曲げ部（５）と凹面（３）で爪先（２）を形成する、この曲げ部（５）部は爪（ウ）を保護すると共に爪先（２）の位置を指先の爪（ウ）の延長線上に近づけるためのもので、これにより爪先（２）の凹面（３）に働く爪先の力（Ｐ）の方向が爪（ウ）手首の関節（ケ）を支点とする円運動の円周の方向とほぼ同じにすることが出来るので、手首の動きに依る力を効率よく爪先（２）に伝えることが出来る��め、少ない力で疲れずに草の根（シ）を掘ることが出来る。【００１２】図４は図３のＹ−Ｙ矢視図で、指先ホルダー（６ａ）（６ｂ）の形状を示している。此の指先ホルダー（６ａ）（６ｂ）の形状は草取り具（１）の材料を金属例えば鉄やアルミニューム、ジュラルミンまたは熱可塑性のプラスチックで作ることにより、図３の指元ホルダー（８ａ）（８ｂ）と共に、指（イ）の太さや手袋の厚さなどを実際に装着して必要により調整することができるが、実際には多少ゆるくても図２に示すような角度（β）の付いた２点支持構造なので安定して保持される。【００１３】図６は手袋（ス）をして草取り具（１）を使用している状態であり、草取り具（１）の指元ホルダー（８）に設けた穴（１１）には紐（セ）を結んで手首に通している。此の紐は紛失防止のためのものであり、ゴム紐でも端にクリップのある紐で手袋につけてもよい。実際に使用すると本発明のような小さな草取り具は、休憩などでとりはずした時に、取った草にまぎれて紛失しやすいものであが、この穴（１１）と紐（セ）により紛失防止が図れる。【００１４】図５は図２のＺ−Ｚ断面図で爪先（２）の断面形状を示す図であり縁部の角度（α）は３０〜５０度である。此の角度（α）を付けることで刃の稜線（４）を形成する。この刃の稜線（４）を付けることにより爪先（２）を使って根（シ）を切ったりすることが出来る。【００１５】本発明の草取り具（１）のその他の実施例としては指先ホルダー（６ａ）（６ｂ）と、指元ホルダー（８ａ）（８ｂ）をそれぞれ別個の部品として作り、爪先（２）から連結部（７）を一体として硬質の材料例えば炭素鋼板、ステンレス、硬質プラスチック等で作ると共に、指先ホルダー（６ａ）（６ｂ）と、指元ホルダー（８ａ）（８ｂ）は軟鋼板やアルミニュームまたは弾力のあるプラスチック等の材料で作り、取り付けることも可能であり、少ない材料で作ることが出来る。又爪先（２）の長さや刃の稜線（４）の形状を半円形や切り込を入れる等自由に変えることが出来る。【００１６】雑草を取り除くために使用する用具として、柄を握って使用するスコップや草取り鎌は広く世の中で使用され公知であるが、本発明の指に装着する草取り具（１）は小型軽量で従来の用具よりも持ち運びが便利であり手が自由に使えるので、この草取り具（１）を装着したままスコップや草取り鎌や箒や塵取りなどの器具を使用出来る他種まきのや苗を植える時の穴掘りにも使用出来るので便利である。
【図面の簡単な説明】
【００１７】
【図１】草取り具を手の指に装着した図である。
【図２】草取り具の側面図である。
【図３】図２のＸ−Ｘ矢視図である。
【図４】図３のＹ−Ｙ矢視図である。
【図５】図２のＺ−Ｚ断面図である。
【図６】草取り具を使用している図である
【発明を実施するための形態】
【実施例】
【００１８】爪先（２）を凹面（３）とし縁に刃の稜線（４）を付有する爪先（２）に連続する曲げ部（５）に隣接して設けた指先（エ）と爪（ウ）から第一関節（カ）を保持する指先ホルダー（６ａ）（６ｂ）と、曲げ部（９）と連結部（７）と曲げ部（１０）により角度（β）を付有して指（イ）の第二関節（キ）から第三関節（ク）を保持する穴（１１）を設けた指元ホルダー（８ａ）（８ｂ）を有する指（イ）に装着して使用する草取り具（１）
【産業上の利用可能性】この爪先（２）の先端の刃の稜線（４）の形状を半円形に形成した草取り具（１）はこの刃の稜線（４）を使ってガラス面に張り付いたセロテープの剥離を指の爪の代わりに行うことや、両面テープの保護テープの剥がし等指の爪（ウ）を使う作業にも効果的に利用可能である。
【符号の説明】
【００１９】１              草取り具
２              爪先，
３              凹面
４              刃の稜線
５              曲げ部
６  ａ，ｂ      指先ホルダー
７              連結部
８  ａ，ｂ      指元ホルダー
９              曲げ部
１０            曲げ部
１１ａ  １１ｂ  穴
ア              右手
イ              指
ウ              爪
エ              指先
オ              親指
カ              第一関節
キ              第二関節
ク              第三関節
ケ              手首の関節
コ              草
サ              土
シ              草の根
ス              手袋
セ              紐
Ｌ              長さ
Ｐ              爪先の力
Ｆ              押す力
Ｘ              断面矢視記号
Ｙ              矢視記号
Ｚ              断面矢視記号
α              角度
β              角度
【図１】
2012244984.tif 000003
【図２】
2012244984.tif 000004
【図３】
2012244984.tif 000005
【図４】
2012244984.tif 000006
【図５】
2012244984.tif 000007
【図６】
2012244984.tif 000008